(57)【要約】      （修正有）【課題】飲料自動販売機において、販売商品取り出し口の上などにすでに備わる広告看板収納ボックスの中やあるいは飲料缶や飲料瓶などの見本商品展示スペースの一部に水泡を発生させる広告付き水槽を備えた飲料自動販売機及び水槽式広告看板の構造を提供する。【解決手段】飲料自動販売機の前面下にすでに設備されている広告看板収納ボックス内、あるいは見本飲料缶展示スペース内の隙間空間を利用してその中に設置できる、透明アクリル板で成型された水槽３に水を貯めて、複数の穴を開けたビニールホース１０を水槽の下部に配置した後、水泡を発生させることが出来るように電源コンセント１２を装置したエアーポンプ１１に繋ぎ、次に水槽の背中部分には広告用の絵柄を描いた看板９を装着して広告宣伝効果を発生させることを特徴とする。【選択図】図２
0003185914.tif 000002
【実用新案登録請求の範囲】
【請求項１】
飲料自動販売機の前面下にすでに設備されている広告看板収納ボックス内、あるいは見本飲料缶展示スペース内の隙間空間を利用してその中に設置できる本願考案による透明アクリル板で成型された水槽に水を貯めて、複数の穴を開けたビニールホースを水槽の下部に配置した後、水泡を発生させることが出来るように電源コンセントを装置したエアーポンプに繋ぐ。次に水槽の背中部分には広告用の絵柄を描いた看板を装着して広告宣伝効果を発生させる事を特長とした構造の飲料自動販売機。
【請求項２】
透明アクリル板で成型された水槽に水を貯めて、複数の穴を開けたビニールホースを水槽の下部に配置した後、水泡を発生させることが出来るように電源コンセントを装置したエアーポンプに繋ぐ。次に水槽の背中部分には広告用の絵柄を描いた看板を装着して広告宣伝効果を発生させる事を特長とした構造の本願考案の水槽は飲料自動販売機用だけでなく、単体としてもデパート内やショッピング商業施設のショーウインドウ、及びお店の中や外の壁面装飾などへ動く宣伝機材として用いる事も可能な請求項１または請求項２記載の水槽式広告看板の構造。
【考案の詳細な説明】
【技術分野】
【０００１】  本考案は、飲料自動販売機において、販売商品取り出し口の上などにすでに備わる広告看板収納ボックスの中やあるいは飲料缶や飲料瓶などの見本商品展示スペースの一部に本願考案の広告付き水槽を設けることのできる水泡を発生させる広告付き水槽を備えた飲料自動販売機の構造に係る。
【背景技術】
【０００２】  本願考案の水泡を発生させる広告付き水槽を備えた飲料自動販売機は当該飲料自動販機内に既設の広告看板収納ボックス、あるいは商品展示用のスペースに、その飲料缶を少し減らしてのち設置スペース確保して設置する。
その水泡を発生させる広告付き水槽の構造に係る、技術背景を説明すれば、広告付き水槽内の下部位置には水泡を発生させるための大小の穴を一定間隔を置いて複数の穴を開けたビニールホースを製作したのちに、そのホースの根元を送風用の電動エアーポンプに繋ぎ、当該エアーポンプには電源コンセントを設ける。その電源コンセントは飲料自販機本体に備わる電源に差し込む。そして電源を入れるとビニールホース内に送風されて発生した空気は大小の穴から漏れて水泡は水槽内へ上昇したり舞うことになる以上の特長をもつ、水泡を発生させる広告付き水槽を備えた飲料自動販売機飲料自動販売機である。
次に、耐水性フイルムシートに描かれた魚の広告の模様は水槽の内側の背面に接着設置するか背面外側に接着設置する。その場合いずれも広告面はお客から見えるように飲料自動販売機の手前に向けて接着設置する物とする。【０００３】  水泡用の穴のサイズは大小あある他、さらに穴の形状は円型、楕円型、星型などを備え、水泡の大きさや形を、それぞれの用途によってコントロールさせるものとする。【０００４】  一本のチューブにさらに穴の形を各種組合せて泡の形状を装飾すれば、発生する水泡の変化による水流の踊りがファッションとしても楽しめる。【０００５】  当該水槽式広告看板の背中には耐水印刷を施した必要なシートは印刷面を水槽に密着貼付する。
【考案の概要】
【考案が解決しようとする課題】
【０００６】  本考案の水槽を備えた飲料自販機は発生する水泡も動くので、ＰＲ看板は季節ごとに風景画やキャラクター画像などを差し替えての提案ができるため、他の飲料自販機に比べて注目度が高くなるばかりでなく、、購入者への飲む商品の提案も画像で伝達できることになるため売り上げ向上につながる。
【課題を解決するための手段】
【０００７】  当該看板の絵の種類を魚が泳ぐ水槽に見立てたり、水槽に桜の花びらの形状の破片を水中に入て後、背景画を春の景色にしたり、粒状の発砲スチロール玉１４で造った粉雪片を混入した後に水流に任せて浮沈を繰り返えせさせれば、例えば背景画面に雪だるまを描くことで冬の山村の雪景色がＰＲ用看板で再現、提供できることになる。
【考案の効果】
【０００８】  本願考案の飲料自販機によれば飲料商品ＰＲのために、動く水泡の向こうに例えば春夏秋冬の季節感を伝達出来る効果的な写真画像やイラスト画像を添付できるため冬の暖かいコーヒーの需要期には雪だるま、夏は涼しげな模様の絵の設置で飲料商品への需要喚起が可能になる。よって、当該発明を備えた飲料自販機はそれらの設備の無い飲料自動販売機に比べて、購買意欲増加に貢献するので売上増が期待できる。
【考案を実施するための形態】
【０００９】  以上の最良な飲料自販機の実施形態について、本願考案を図面に示して具体的に説明する。
【図面の簡単な説明】
【００１０】
【図１】本願考案の飲料自動販売機に使用する水泡を発生させる広告付き水槽に魚のバージョンと雪だるまのバージョンを印刷した図を備えた飲料自動販売機の正面斜視図である。
【図２】魚のパターンのを印刷した広告付き水槽に水を入れた状態で、電源用コンセントから電源を入れて、空気穴から水泡が発生した実施例を示した正面図である。
【図３】本願考案の広告用シート付き水槽の側面図である。
【符号の説明】
【００１１】１‥‥‥‥‥飲料自動販売機
２‥‥‥‥‥デイスプレイされたダミーの飲料缶
３‥‥‥‥‥裏面に魚を描いた広告看板シート１３を貼りわせた透明アクリル水槽
４‥‥‥‥‥広告看板収納ボックス
５‥‥‥‥‥コイン投入口
６‥‥‥‥‥飲料商品取り出し口
７‥‥‥‥‥水
８‥‥‥‥‥水泡
９‥‥‥‥‥広告看板シート１３に描いた魚の図
１０‥‥‥‥水泡用に空気穴をあけたビニールホース
１１‥‥‥‥電動エアーポンプ
１２‥‥‥‥電源用コンセント
１３‥‥‥‥耐水性広告フイルムシート
１４‥‥‥‥粒状の発泡スチロール玉
１５‥‥‥‥水泡用に空気穴をあけたビニールホースの断面
１６‥‥‥‥裏面に雪だるまを描いた広告看板シート１３を貼りわせた透明アクリル水槽
【図１】
0003185914.tif 000003
【図２】
0003185914.tif 000004
【図３】
0003185914.tif 000005
【手続補正書】
【提出日】平成25年6月19日(2013.6.19)
【手続補正１】
【補正対象書類名】実用新案登録請求の範囲
【補正対象項目名】全文
【補正方法】変更
【補正の内容】
【実用新案登録請求の範囲】
【請求項１】
飲料自動販売機の前面下にすでに設備されている広告看板収納ボックス内、あるいは見本飲料缶展示スペース内の隙間空間を利用してその中に設置できる、透明アクリル板で成型された水槽に水を貯めて、複数の穴を開けたビニールホースを水槽の下部に配置した後、水泡を発生させることが出来るように電源コンセントを装置したエアーポンプに繋ぎ、次に水槽の背中部分には広告用の絵柄を描いた看板を装着して広告宣伝効果を発生させる飲料自動販売機。
【請求項２】
透明アクリル板で成型された水槽に水を貯めて、複数の穴を開けたビニールホースを水槽の下部に配置した後、水泡を発生させることが出来るように電源コンセントを装置したエアーポンプに繋ぎ、次に水槽の背中部分には広告用の絵柄を描いた看板を装着して広告宣伝効果を発生させる、飲料自動販売機用の、またはデパート内やショッピング商業施設のショーウインドウ、及びお店の中や外の壁面装飾などへ動く宣伝機材として用いる水槽式広告看板の構造。